【手続補正書】
【提出日】平成17年2月17日(2005.2.17)
【手続補正１】
【補正対象書類名】明細書
【補正対象項目名】全文
【補正方法】変更
【補正の内容】
【書類名】      明細書
【発明の名称】  識別情報の記録方法、多層光記録媒体および記録装置
【特許請求の範囲】
【請求項１】  記録データが記録されるＮ層（Ｎは２以上の自然数）の記録層が少なくとも基材の一面側に積層されて構成された多層光記録媒体にその多層光記録媒体を個別的に識別するための識別情報を記録する識別情報の記録方法であって、
再生用レーザービームまたは記録用レーザービームの入射方向から数えてＭ番目（ＭはＮ以下の自然数）の前記記録層における第１の基準点と、前記入射方向から数えてＬ番目（ＬはＮ以下であってＭを除く自然数）の前記記録層における第２の基準点との両点間距離を取得し、当該取得した両点間距離を特定可能な距離情報を前記識別情報として記録する識別情報の記録方法。
【請求項２】  前記第１および第２の基準点のいずれか一方の基準点、並びに前記入射方向から数えてＫ番目（ＫはＮ以下であってＭまたはＬと同一数を含む自然数）の前記記録層における第３の基準点を通過する第１の線分と、前記第１の基準点および前記第２の基準点を通過する第２の線分とが交差する角度を取得し、当該取得した角度を特定可能な角度情報を前記識別情報の一部として記録する請求項１記載の識別情報の記録方法。
【請求項３】  前記多層光記録媒体におけるデータ記録エリア、リードインエリアおよびリードアウトエリアのいずれかに前記識別情報を記録する請求項１または２記載の識別情報の記録方法。
【請求項４】  前記多層光記録媒体に記録する前記記録データの一部、または当該記録データについての管理情報の一部として前記識別情報を記録する請求項３記載の識別情報の記録方法。
【請求項５】  再生装置によって読み出されて当該再生装置に対して少なくとも前記第１および第２の基準点の前記両点間距離を取得させると共に、当該取得された両点間距離と、前記識別情報に含まれる前記距離情報によって特定される前記両点間距離との同一性を当該再生装置に対して判別させ、不一致のときに前記多層光記録媒体からの前記記録データの読出しを当該再生装置に対して禁止させるためのプログラムデータを記録する請求項１から４のいずれかに記載の識別情報の記録方法。
【請求項６】  前記多層光記録媒体を装填した際に前記再生装置によって最初にアクセスされる領域、および当該最初にアクセスされる領域に記録された領域情報によって指示される領域のいずれかに前記プログラムデータを記録する請求項５記載の識別情報の記録方法。
【請求項７】  記録データが記録されるＮ層（Ｎは２以上の自然数）の記録層が少なくとも基材の一面側に積層されて構成された多層光記録媒体であって、
当該多層光記録媒体を個別的に識別するための識別情報として、再生用レーザービームまたは記録用レーザービームの入射方向から数えてＭ番目（ＭはＮ以下の自然数）の前記記録層における第１の基準点と、前記入射方向から数えてＬ番目（ＬはＮ以下であってＭを除く自然数）の前記記録層における第２の基準点との両点間距離を特定可能な距離情報が記録された多層光記録媒体。
【請求項８】  前記第１および第２の基準点のいずれか一方の基準点、並びに前記入射方向から数えてＫ番目（ＫはＮ以下であってＭまたはＬと同一数を含む自然数）の前記記録層における第３の基準点を通過する第１の線分と、前記第１の基準点および前記第２の基準点を通過する第２の線分とが交差する角度を特定可能な角度情報が前記識別情報の一部として記録された請求項７記載の多層光記録媒体。
【請求項９】  当該多層光記録媒体におけるデータ記録エリア、リードインエリアおよびリードアウトエリアのいずれかに前記識別情報が記録された請求項７または８記載の多層光記録媒体。
【請求項１０】  再生装置によって読み出されて当該再生装置に対して少なくとも前記第１および第２の基準点の前記両点間距離を取得させると共に、当該取得された両点間距離と、前記識別情報に含まれる前記距離情報によって特定される前記両点間距離との同一性を当該再生装置に対して判別させ、不一致のときに前記多層光記録媒体からの前記記録データの読出しを当該再生装置に対して禁止させるためのプログラムデータが記録された請求項７から９のいずれかに記載の多層光記録媒体。
【請求項１１】  当該多層光記録媒体を装填した際に前記再生装置によって最初にアクセスされる領域、および当該最初にアクセスされる領域に記録された領域情報によって指示される領域のいずれかに前記プログラムデータが記録された請求項１０記載の多層光記録媒体。
【請求項１２】  記録データが記録されるＮ層（Ｎは２以上の自然数）の記録層が少なくとも基材の一面側に積層されて構成された多層光記録媒体にその多層光記録媒体を個別的に識別するための識別情報を記録する記録装置であって、
再生用レーザービームまたは記録用レーザービームの入射方向から数えてＭ番目（ＭはＮ以下の自然数）の前記記録層における第１の基準点と、前記入射方向から数えてＬ番目（ＬはＮ以下であってＭを除く自然数）の前記記録層における第２の基準点との両点間距離を取得し、当該取得した両点間距離を特定可能な距離情報を前記識別情報として記録する制御部を備えている記録装置。
【発明の詳細な説明】
【０００１】
【発明の属する技術分野】
本発明は、光記録媒体を個別的に識別するための識別情報を記録する識別情報の記録方法、識別情報が記録された多層光記録媒体、および多層光記録媒体に識別情報を記録する記録装置に関するものである。
【０００２】
【従来の技術】
今日、大量の記録データを記録可能である点が注目されて、各種の光記録媒体が広く普及している。この場合、光記録媒体に記録した記録データの不正なコピーを防止するための記録データ保護方法としては、記録データの属性を不可視属性などに設定する方法、記録データを暗号化する方法、および特殊なフォーマットで記録する方法などが従来から知られている。しかし、これらの記録データ保護方法を採用したとしても、例えばパーソナルコンピュータなどを用いることにより、記録データのコピーが比較的容易に行われてしまう。このため、記録データと共に認証用のＩＤを光記録媒体に記録させ、光記録媒体に対するアクセス時や記録データの読出し時に、記録されている認証用ＩＤを参照する所定の認証処理によって、コピーされた光記録媒体であるか否かを自動的に確認させることにより、不正なコピーを防止する方法が考案されている。
【０００３】
例えば、特開平７−２１６９７号公報には、その光記録媒体に固有の識別データＩＤをリードインエリアに記録しておくことにより、不正にコピーされた光記録媒体（以下、「コピー媒体」ともいう）内に記録された記録データの再生を禁止させる技術が開示されている。具体的には、オリジナルの光記録媒体（以下、「オリジナル媒体」ともいう）に記録された各記録データの記録位置を特定するためのポインタ情報や各記録データの著作者などの著作者情報を表す文字を組み合わせて識別データＩＤを構成し、この識別データＩＤをポインタ情報および著作者情報と共にリードインエリアに記録しておく。この場合、この種の光記録媒体を一般的なコピー方法によってコピーした際には、リードインエリアに記録された各種情報がオリジナル媒体から読み出されてコピー媒体にコピーされるのではなく、コピー媒体にコピーされた各記録データのコピー媒体における記録位置に基づいて新たに生成されるポインタ情報などがコピー媒体のリードインエリアに記録される。したがって、オリジナル媒体を一般的なコピー方法によって他の光記録媒体にコピーした際には、オリジナル媒体のリードインエリア内に記録されている識別データＩＤがコピー媒体にコピーされず、この結果、コピー媒体には識別データＩＤが存在しないこととなる。
【０００４】
また、この光記録媒体（オリジナル媒体）には、記録データとしてのプログラムが記録されている。このプログラムは、光記録媒体から読み出されて起動させられた際に、その光記録媒体のリードインエリアに識別データＩＤが存在するか否かを最初に判別することにより、その光記録媒体がオリジナル媒体であるか否かを判別する処理が記述されている。したがって、コピー媒体に記録された記録データの再生（プログラムの実行）を実行しようとした際には、識別データＩＤがコピー媒体のリードインエリアに存在しないため、このプログラムの記述に従ってコピー媒体であると判別されて、以後の記録データの再生が禁止される。また、一般的なコピー方法によってオリジナル媒体をコピーした場合、オリジナル媒体における記録データの記録位置と、コピー媒体における対応する記録データの記録位置とが相違する。したがって、たとえ識別データＩＤがコピー媒体のリードインエリアにコピーされたとしても、この識別データＩＤに対応するポインタ情報と、コピー媒体にコピーされた記録データの記録位置に対応するポインタ情報とが一致しないこととなる。このため、このプログラムの記述に従ってコピー媒体であると判別されて、以後の記録データの再生が禁止される。これにより、コピー媒体内に記録された記録データの再生が禁止される。
【０００５】
【発明が解決しようとする課題】
ところが、この記録データ保護方法には、以下の問題点がある。すなわち、この記録データ保護方法では、書換えおよびコピーが困難なリードインエリアに識別データＩＤを記録させると共に、その光記録媒体がオリジナル媒体かコピー媒体かをリードインエリアにおける識別データＩＤの存在有無に基づいて判別する処理を記述したプログラムを記録データとして記録することにより、不正にコピーされたコピー媒体からのプログラムの起動（記録データの再生）を禁止している。しかし、リードインエリア内の各種情報を他の光記録媒体にコピーするのは技術的に可能なため、識別データＩＤの存在有無に基づいてオリジナル媒体かコピー媒体かを判別するのは事実上無意味であり、オリジナル媒体かコピー媒体かを確実に判別するのが実際には困難であるという問題点が存在する。
【０００６】
また、この記録データ保護方法では、識別データＩＤのデータ内容（媒体固有の情報）としてポインタ情報および著作者情報などを用いている。この場合、前述したように、リードインエリア内の各種情報をコピー媒体のリードインエリアにコピーするのは可能であり、加えて、記録データをオリジナル媒体の記録位置に対応させてコピー媒体に記録するのも技術的に可能である。したがって、オリジナル媒体に記録されているポインタ情報および著作者情報と、コピー媒体に記録したポインタ情報および著作者情報とを容易に一致させることができる。このため、これらの情報と識別データＩＤのデータ内容とを比較した際には、その光記録媒体がコピー媒体であるにも拘わらずオリジナル媒体であると誤って判別されることがあるという問題点も存在する。
【０００７】
本発明は、かかる問題点に鑑みてなされたものであり、光記録媒体がコピーされた場合に、その光記録媒体がオリジナル媒体かコピー媒体かを確実に識別可能な識別データの記録方法、識別データが記録された多層光記録媒体、および識別データを記録する記録装置を提供することを主目的とする。
【０００８】
【課題を解決するための手段】
上記目的を達成すべく本発明に係る識別データの記録方法は、記録データが記録されるＮ層（Ｎは２以上の自然数）の記録層が少なくとも基材の一面側に積層されて構成された多層光記録媒体にその多層光記録媒体を個別的に識別するための識別情報を記録する識別情報の記録方法であって、再生用レーザービームまたは記録用レーザービームの入射方向から数えてＭ番目（ＭはＮ以下の自然数）の前記記録層における第１の基準点と、前記入射方向から数えてＬ番目（ＬはＮ以下であってＭを除く自然数）の前記記録層における第２の基準点との両点間距離を取得し、当該取得した両点間距離を特定可能な距離情報を前記識別情報として記録する識別情報の記録方法。この発明において、「第１の基準点と第２の基準点との両点間距離」には、記録層の厚みを考慮した三次元的な距離と、Ｍ番目の記録層およびＬ番目の記録層を平面視したときの二次元的な距離とが含まれる。
【０００９】
この場合、前記第１および第２の基準点のいずれか一方の基準点、並びに前記入射方向から数えてＫ番目（ＫはＮ以下であってＭまたはＬと同一数を含む自然数）の前記記録層における第３の基準点を通過する第１の線分と、前記第１の基準点および前記第２の基準点を通過する第２の線分とが交差する角度を取得し、当該取得した角度を特定可能な角度情報を前記識別情報の一部として記録するのが好ましい。
【００１０】
また、前記多層光記録媒体におけるデータ記録エリア、リードインエリアおよびリードアウトエリアのいずれかに前記識別情報を記録するのが好ましい。
【００１１】
また、前記多層光記録媒体に記録する前記記録データの一部、または当該記録データについての管理情報の一部として前記識別情報を記録するのが好ましい。
【００１２】
さらに、再生装置によって読み出されて当該再生装置に対して少なくとも前記第１および第２の基準点の前記両点間距離を取得させると共に、当該取得された両点間距離と、前記識別情報に含まれる前記距離情報によって特定される前記両点間距離との同一性を当該再生装置に対して判別させ、不一致のときに前記多層光記録媒体からの前記記録データの読出しを当該再生装置に対して禁止させるためのプログラムデータを記録するのが好ましい。ここで、本発明における再生装置には、再生用ドライブ装置単体と、再生用ドライブ装置に接続された電子端末および再生用ドライブ装置を含むシステム全体とが含まれる。
【００１３】
また、前記多層光記録媒体を装填した際に前記再生装置によって最初にアクセスされる領域、および当該最初にアクセスされる領域に記録された領域情報によって指示される領域のいずれかに前記プログラムデータを記録するのが好ましい。
【００１４】
また、本発明に係る多層光記録媒体は、記録データが記録されるＮ層（Ｎは２以上の自然数）の記録層が少なくとも基材の一面側に積層されて構成された多層光記録媒体であって、当該多層光記録媒体を個別的に識別するための識別情報として、再生用レーザービームまたは記録用レーザービームの入射方向から数えてＭ番目（ＭはＮ以下の自然数）の前記記録層における第１の基準点と、前記入射方向から数えてＬ番目（ＬはＮ以下であってＭを除く自然数）の前記記録層における第２の基準点との両点間距離を特定可能な距離情報が記録されている。
【００１５】
この場合、前記第１および第２の基準点のいずれか一方の基準点、並びに前記入射方向から数えてＫ番目（ＫはＮ以下であってＭまたはＬと同一数を含む自然数）の前記記録層における第３の基準点を通過する第１の線分と、前記第１の基準点および前記第２の基準点を通過する第２の線分とが交差する角度を特定可能な角度情報が前記識別情報の一部として記録されているのが好ましい。
【００１６】
また、当該多層光記録媒体におけるデータ記録エリア、リードインエリアおよびリードアウトエリアのいずれかに前記識別情報が記録されているのが好ましい。
【００１７】
また、再生装置によって読み出されて当該再生装置に対して少なくとも前記第１および第２の基準点の前記両点間距離を取得させると共に、当該取得された両点間距離と、前記識別情報に含まれる前記距離情報によって特定される前記両点間距離との同一性を当該再生装置に対して判別させ、不一致のときに前記多層光記録媒体からの前記記録データの読出しを当該再生装置に対して禁止させるためのプログラムデータが記録されているのが好ましい。
【００１８】
さらに、当該多層光記録媒体を装填した際に前記再生装置によって最初にアクセスされる領域、および当該最初にアクセスされる領域に記録された領域情報によって指示される領域のいずれかに前記プログラムデータが記録されているのが好ましい。
【００１９】
また、本発明に係る記録装置は、記録データが記録されるＮ層（Ｎは２以上の自然数）の記録層が少なくとも基材の一面側に積層されて構成された多層光記録媒体にその多層光記録媒体を個別的に識別するための識別情報を記録する記録装置であって、再生用レーザービームまたは記録用レーザービームの入射方向から数えてＭ番目（ＭはＮ以下の自然数）の前記記録層における第１の基準点と、前記入射方向から数えてＬ番目（ＬはＮ以下であってＭを除く自然数）の前記記録層における第２の基準点との両点間距離を取得し、当該取得した両点間距離を特定可能な距離情報を前記識別情報として記録する制御部を備えている。
【００２０】
【発明の実施の形態】
以下、添付図面を参照して、本発明に係る識別データの記録方法、多層光記録媒体および記録装置の好適な実施の形態について説明する。
【００２１】
最初に、多層光記録媒体１の構成について、図面を参照して説明する。
【００２２】
図１に示す多層光記録媒体１は、一例として片面２層の書換え型光記録媒体であって、平板状（一例として円板状）の基材２の上に、Ｌ１記録層３、スペーサ層４、Ｌ０記録層５およびカバー層６が順に積層され、中心部に装着用中心孔Ｈが形成されている。基材２は、ポリカーボネイトなどの樹脂材料で射出成形によって形成され、そのカバー層６側の表面には、螺旋状のグルーブ（案内溝）やランドなどの微細凹凸が形成されている。Ｌ１記録層３は、記録用レーザービームおよび再生用レーザービーム（以下、区別しないときには「レーザービーム」ともいう）を反射する反射膜や、記録用レーザービームを照射することによって光学定数の変化に伴って光反射率が変化する相変化膜、および相変化膜を保護する保護膜などの薄膜が基材２の微細凹凸上に積層されて構成されている。スペーサ層４は、光透過性樹脂で形成され、そのカバー層６側の表面には、螺旋状のグルーブやランドなどの微細凹凸が形成されている。Ｌ０記録層５は、相変化膜および保護膜などの薄膜がスペーサ層４の微細凹凸上に積層されて構成されている。カバー層６は、基材２上の各層の傷付きや多層光記録媒体１全体としての厚み調整用の層であって、光透過性樹脂で形成されている。この多層光記録媒体１では、同図の矢印Ｘの向きでピックアップからレーザービームが照射されることにより、両記録層３，５に対する各種ディジタルデータの記録、または両記録層３，５からの各種ディジタルデータの読み出しが行われる。なお、本発明の実施の形態では、一例として、Ｌ１記録層３を本発明におけるＭ番目の記録層とし、Ｌ０記録層５を本発明におけるＬ番目およびＫ番目の記録層として以下に説明する。
【００２３】
この多層光記録媒体１では、各種ディジタルデータ（記録データ）が記録されるＬ０記録層５が、その最内周部に規定されたリードインエリア５ａと、リードインエリア５ａの外周に規定されたデータ記録エリア５ｂとで構成されて、同じく各種ディジタルデータ（記録データ）が記録されるＬ１記録層３が、その最内周部に規定されたリードアウトエリア３ａと、リードアウトエリア３ａの外周に規定されたデータ記録エリア３ｂとで構成されている。この場合、リードインエリア５ａには、データ記録エリア５ｂ，３ｂに記録される各種ディジタルデータについての物理フォーマット情報、ＦＡＴ（File Allocation Table ）データ、および各種再生装置に多層光記録媒体１が装填された際に最初に読み出されるデータの記録位置を指定する位置データなど（一例として「ＴＯＣ（Table Of Contents ）」または「ＵＴＯＣ（User Table Of Contents）」）と、本発明における識別情報に相当する識別データＤｓとを少なくとも含んで構成される管理データＤｔが記録される。また、データ記録エリア５ｂ，３ｂには、記録データＤｄ，Ｄｄ・・（音声データ、画像データ、音楽データ、テキストデータを初め、各種アプリケーションソフトのプログラムデータやユーザが作成または更新したアプリケーションデータなど）や、後述する認証プログラムデータＤｐなどが記録される。なお、実際には、リードインエリア５ａよりもさらに内周側に、ＰＣＡ（Power Caribration Area）、ＴＡ（Test Area ）、ＣＡ（Count Area）およびＰＭＡ（Program Memory Area ）などの公知の領域が存在する場合があるが、詳細な説明および図示を省略する。
【００２４】
この場合、この多層光記録媒体１の製造に際しては、まず、射出成形によって微細凹凸（グルーブおよびランドなど）を形成した基材２の上にＬ１記録層３を形成する。次に、このＬ１記録層３上に光透過性樹脂を例えばスピンコートした後に微細凹凸形成用のスタンパーを被せた状態で光透過性樹脂を硬化させることによってスペーサ層４を形成する。次いで、スタンパーを剥離した後にスペーサ層４の微細凹凸上にＬ０記録層５を形成し、このＬ０記録層５を覆うようにして光透過性樹脂を例えばスピンコートした後に硬化させる。これにより、多層光記録媒体１が製造される。したがって、図２に示すように、この多層光記録媒体１では、スペーサ層４の形成時にスタンパーを被せる位置の位置ずれに起因して、Ｌ０記録層５の中心Ｏ５（スペーサ層４に形成した螺旋状のグルーブおよびランドの中心）がＬ１記録層３の中心Ｏ３（基材２に形成した螺旋状のグルーブおよびランドの中心）に対して数十μｍの範囲内で偏心する。また、この中心Ｏ５，Ｏ３は、基材２の射出成形時において微細凹凸を形成する際の位置ずれや装着用中心孔Ｈを形成する際の位置ずれに起因して、多層光記録媒体１の中心Ｏ（装着用中心孔Ｈの中心）に対しても数十μｍの範囲内でそれぞれ偏心する。また、この中心Ｏ５，Ｏ３の偏心量、および中心Ｏに対する中心Ｏ５，Ｏ３の偏心量は、多層光記録媒体１，１・・毎にそれぞれ相違する。なお、同図では、本発明についての理解を容易とするために、Ｌ１記録層３およびＬ０記録層５のずれ量を誇張して図示している。
【００２５】
さらに、スタンパーは、その螺旋状の微細凹凸と、基材２に既に形成されているＬ１記録層３における螺旋状の微細凹凸とが完全に重なり合うことなく基材２に被せられる。したがって、Ｌ０記録層５の中心Ｏ５からリードインエリア５ａの先頭位置（リードインエリア５ａの最内周部。以下、「基準点Ｐ５ａ」ともいう）に向かう向き（同図の矢印Ａ５ａで示す向き）と、Ｌ１記録層３の中心Ｏ３からリードアウトエリア３ａの最後尾位置（リードアウトエリア３ａの最内周部。以下、「基準点Ｐ３ａ」ともいう）に向かう向き（同図の矢印Ａ３ａで示す向き）とが必ずしも一致せず、しかも、この向きの相違量は多層光記録媒体１，１・・毎にそれぞれ相違する。同様にして、Ｌ０記録層５の中心Ｏ５からデータ記録エリア５ｂの先頭位置（データ記録エリア５ｂの最内周部。以下、「基準点Ｐ５ｂ」ともいう）に向かう向き（同図の矢印Ａ５ｂで示す向き）と、Ｌ１記録層３の中心Ｏ３からデータ記録エリア３ｂの最後尾位置（データ記録エリア３ｂの最内周部。以下、「基準点Ｐ３ｂ」ともいう）に向かう向き（同図の矢印Ａ３ｂで示す向き）とが必ずしも一致せず、しかも、この向きの相違量は多層光記録媒体１，１・・毎にそれぞれ相違する。したがって、これらの「偏心量」と、「中心Ｏ５（Ｏ３）から基準点Ｐ５ａ，Ｐ５ｂ（基準点Ｐ３ａ，Ｐ３ｂ）に向かう向き」との組み合わせは無数に存在する。このため、同一の偏心量および同じ向きでＬ０記録層５およびＬ１記録層３を形成しようとしても、実際には非常に困難である。したがって、これらの「偏心量」および「向き」を識別情報として利用することで多層光記録媒体１，１・・を個々に識別可能となる。
【００２６】
次に、この多層光記録媒体１に対する記録データの記録、および記録データの再生を実行する記録再生装置１１およびパーソナルコンピュータＰＣについて、図３を参照して説明する。
【００２７】
記録再生装置１１は、本発明に係る記録装置に相当し、一例として、パーソナルコンピュータＰＣなどに接続可能な外付けタイプの記録再生用ドライブ装置であって、多層光記録媒体１に対する各種ディジタルデータの記録および読出しを実行可能に構成されている。この記録再生装置１１は、ターンテーブル１２、ピックアップ１３、スピンドルサーボ１４、送りサーボ１５、フォーカストラッキングサーボ１６、制御部１７およびＲＯＭ１８を備えている。ターンテーブル１２は、多層光記録媒体１を載置（チャッキング）可能に構成されており、スピンドルサーボ１４によって駆動制御されるスピンドルモータ（図示せず）によって多層光記録媒体１と共に線速度一定の条件で回転させられる。
【００２８】
ピックアップ１３は、レーザー出射部とレーザー受光部とが一体化されて構成され、制御部１７の制御下でレーザードライバによってレーザー（共に図示せず）が駆動されて多層光記録媒体１に対して記録用レーザービームまたは再生用レーザービーム（出射レーザーＬａ）を出射する。これにより、多層光記録媒体１に対する信号の記録、および記録部位によって反射された反射レーザーＬｂのレベルに応じた電気信号の出力が行われる。また、ピックアップ１３は、対物レンズおよびハーフミラー（共に図示せず）を備え、フォーカストラッキングサーボ１６によって対物レンズがフォーカストラッキング制御されることにより、多層光記録媒体１のＬ１記録層３またはＬ０記録層５にレーザービームを集光させる。このピックアップ１３は、多層光記録媒体１の直径方向に沿ってその内周側と外周側との間を送りサーボ１５によって往復動させられる。
【００２９】
スピンドルサーボ１４は、制御部１７の制御下でターンテーブル１２の回転を線速度一定となるように制御する。このスピンドルサーボ１４は、ターンテーブル１２の回転量（すなわち多層光記録媒体１の回転量）に応じた回転量信号Ｓａを制御部１７に出力する。送りサーボ１５は、前述したように多層光記録媒体１の直径方向に沿ってピックアップ１３を往復動させる。この送りサーボ１５は、ピックアップ１３の移動量に応じた移動量信号Ｓｂを制御部１７に出力する。制御部１７は、ピックアップ１３、スピンドルサーボ１４、送りサーボ１５およびフォーカストラッキングサーボ１６の駆動を制御すると共に、ピックアップ１３から出力された電気信号に基づいて、Ｌ１記録層３またはＬ０記録層５に記録されている記録データを判読する。また、この制御部１７は、スピンドルサーボ１４および送りサーボ１５から出力される回転量信号Ｓａおよび移動量信号Ｓｂに基づいて、ピックアップ１３の存在位置を演算し、その存在位置に応じた位置信号ＳｃをパーソナルコンピュータＰＣに出力する。ＲＯＭ１８は、後述するようにデータ保護方式で記録データＤｄ，Ｄｄ・・を多層光記録媒体１に記録する際にその多層光記録媒体１に記録するための認証プログラムデータＤｐが記録されている。この場合、認証プログラムデータＤｐは、本発明における判別用プログラムのプログラムデータに相当し、各種のパーソナルコンピュータによって読出し可能なファイル形式で記録されると共に、読出し完了直後にパーソナルコンピュータによって自動起動されるように記述されている。具体的には、ＡＵＴＯＲＵＮ．ＥＸＥなどのエクゼクタブルファイルや、各種バッチファイルで構成されている。
【００３０】
パーソナルコンピュータＰＣは、記録再生装置１１を介しての記録データＤｄ，Ｄｄ・・などの記録および読出しを総括的に制御すると共に、記録データＤｄの再生時には、後述するように認証プログラム（認証プログラムデータＤｐの記述内容）に従って所定の認証処理を実行する。
【００３１】
次に、未使用の多層光記録媒体１に記録データＤｄ，Ｄｄ・・を記録する記録方法、および多層光記録媒体１に記録された記録データＤｄ，Ｄｄ・・の再生方法について、各図を参照して説明する。なお、本発明の実施の形態では、基準点Ｐ３ｂを本発明における第１の基準点、基準点Ｐ５ｂを本発明における第２の基準点、基準点Ｐ５ａを本発明における第３の基準点として以下に説明する。
【００３２】
最初に、図４を参照して、記録再生装置１１およびパーソナルコンピュータＰＣによるデータ記録処理２０について説明する。この記録再生装置１１では、図示しないディスク挿入部に多層光記録媒体１が挿入された際に、制御部１７が、スピンドルサーボ１４を駆動制御することによりターンテーブル１２を回転させる。次に、制御部１７は、送りサーボ１５を駆動制御してピックアップ１３を多層光記録媒体１の最内周部に移動させ、フォーカストラッキングサーボ１６を駆動制御しつつ多層光記録媒体１に対して再生用レーザービーム（出射レーザーＬａ）を出射させる。この場合、多層光記録媒体１には、その光記録媒体が書換え型（または追記型）のメディアであって片面２層タイプである旨のディスクタイプ情報などからなる各種情報（この場合、この「各種情報」はユーザが直接的に使用する情報ではなく、各種記録装置または再生装置によって使用される情報）がリードインエリア５ａなどに記録されている。したがって、制御部１７は、多層光記録媒体１が片面２層書換え型メディアであると判別する。
【００３３】
次に、制御部１７は、ピックアップ１３をリードインエリア５ａに移動させた後、リードインエリア５ａにおける識別データＤｓの存在有無に基づいて、その多層光記録媒体１がデータ保護方式で記録されているメディアか否かを判別する（ステップ２１）。この場合、後述する識別データ記録処理３０によってデータ保護方式で記録データＤｄ，Ｄｄ・・が記録された多層光記録媒体１では、リードインエリア５ａに識別データＤｓが記録され、かつ、データ記録エリア５ｂの先頭部位に認証プログラムデータＤｐが記録されている。一方、未使用の多層光記録媒体１におけるリードインエリア５ａは、識別データＤｓが未記録の状態で、データ記録エリア５ｂも、認証プログラムデータＤｐが未記録の状態となっている。したがって、制御部１７は、その多層光記録媒体１がデータ保護方式で記録されたメディアではないと判別する。
【００３４】
次いで、制御部１７は、多層光記録媒体１に対する記録方式を選択させるための選択用画面をパーソナルコンピュータＰＣのモニタに表示させ、ユーザに対して、データ保護方式および通常の記録方式のいずれかを選択させる（ステップ２２）。この際に、ユーザによって通常の記録方式が選択されたときには、パーソナルコンピュータＰＣから出力された記録データＤｄを多層光記録媒体１のデータ記録エリア３ｂ，５ｂに記録し（ステップ２３）、すべての記録データＤｄ，Ｄｄ・・を記録し終えたときに、各記録データＤｄ，Ｄｄ・・の記録位置などを示す管理データＤｔをリードインエリア５ａに記録する（ステップ２４）。これにより、多層光記録媒体１は各種の再生装置によって再生可能な状態となる。
【００３５】
一方、ステップ２２においてデータ保護方式が選択されたときには、制御部１７は、図５に示す識別データ記録処理３０を実行する。この識別データ記録処理３０では、制御部１７は、まず、スピンドルサーボ１４および送りサーボ１５から出力される回転量信号Ｓａおよび移動量信号Ｓｂに基づいて、データ記録エリア３ｂの最後尾位置（基準点Ｐ３ｂ）と、データ記録エリア５ｂの先頭位置（基準点Ｐ５ｂ）とをそれぞれ特定する（ステップ３１）。具体的には、制御部１７は、ピックアップ１３が基準点Ｐ３ｂにアクセスした際の回転量信号Ｓａおよび移動量信号Ｓｂに基づいて基準点Ｐ３ｂの位置を特定し、かつ、ピックアップ１３が基準点Ｐ５ｂにアクセスした際の回転量信号Ｓａおよび移動量信号Ｓｂに基づいて基準点Ｐ５ｂの位置を特定する。次に、制御部１７は、特定した基準点Ｐ３ｂ，Ｐ５ｂ間の平面視の距離Ｗ（図６参照）を演算する（ステップ３２）。この場合、Ｌ１記録層３およびＬ０記録層５間の厚みを含めた三次元的な距離を求めてもよい。次いで、制御部１７は、基準点Ｐ３ｂ，Ｐ５ｂの特定方法と同様にして、回転量信号Ｓａおよび移動量信号Ｓｂに基づいてリードインエリア５ａの先頭位置（基準点Ｐ５ａ）を特定する（ステップ３３）。続いて、制御部１７は、基準点Ｐ３ｂ，Ｐ５ｂの両点を通過する線分Ｗ１と、基準点Ｐ５ｂ，Ｐ５ａの両点を通過する線分Ｗ２と（図６参照）が交差する角度θを演算する（ステップ３４）。
【００３６】
この場合、前述したように、基準点Ｐ３ｂ，Ｐ５ａ，Ｐ５ｂのそれぞれの位置関係が多層光記録媒体１，１・・毎にそれぞれ相違するため、基準点Ｐ３ｂ，Ｐ５ｂ間の距離Ｗと、線分Ｗ１，Ｗ２が交差する角度θとは、多層光記録媒体１，１・・毎にそれぞれ相違する。また、基準点Ｐ３ｂ，Ｐ５ａ，Ｐ５ｂの位置が記録データＤｄの記録または再生に起因しては変動しないため、同一の多層光記録媒体１から取得される距離Ｗおよび角度θは、常に同一値となる。この場合、装着用中心孔Ｈがターンテーブル１２のチャッキング（図示せず）の直径よりも若干大きめに形成されているため、ターンテーブル１２の中心と多層光記録媒体１の中心Ｏとの位置関係は、多層光記録媒体１を装填する都度僅かに変動する。しかし、このずれ量（チャッキングによるずれ量）は、各基準点Ｐ３ｂ，Ｐ５ａ，Ｐ５ｂを個々に特定する際には問題となるものの、各基準点Ｐ３ｂ，Ｐ５ａ，Ｐ５ｂの相対的位置関係に基づいて距離Ｗおよび角度θを演算（測定）する際には相殺されるため、その測定結果に影響は及ばない。したがって、この距離Ｗおよび角度θに関する情報を多層光記録媒体１固有の識別情報として使用する。この場合、図７に示すように、距離Ｗおよび角度θは、線分Ｗ２を軸として基準点Ｐ５ｂを基点とし、その長さ（スカラー量）がＷで、その向きが角度θのベクトルＶとして表される。したがって、この記録再生装置１１では、制御部１７が、ベクトルＶを表す数値情報を本発明における識別情報として用いて、その多層光記録媒体１を個別的に識別するための識別データＤｓを生成する（ステップ３５）。
【００３７】
次に、制御部１７は、生成した識別データＤｓを管理データＤｔの一部としてリードインエリア５ａの先頭部位に記録すると共に（ステップ３６）、ＲＯＭ１８から認証プログラムデータＤｐを読み出して例えばデータ記録エリア５ｂの先頭部位に記録する（ステップ３７）。次いで、制御部１７は、認証プログラムデータＤｐの記録位置に関するＦＡＴデータと、記録再生装置１１を含む各種再生装置に多層光記録媒体１が装填された際に最初に読み出すべきデータとして認証プログラムデータＤｐの記録位置を指定する位置データなどを管理データＤｔの一部としてリードインエリア５ａに記録（追記）する（ステップ３８）。これにより、識別データ記録処理３０が終了する。この後、制御部１７は、図４に示すデータ記録処理２０に戻り、パーソナルコンピュータＰＣから出力された記録データＤｄをデータ記録エリア３ｂ，５ｂに記録する（ステップ２３）。また、制御部１７は、すべての記録データＤｄ，Ｄｄ・・を記録し終えたときに、各記録データＤｄ，Ｄｄ・・の記録位置などを管理データＤｔの一部としてリードインエリア５ａに記録（追記）する（ステップ２４）。これにより、記録データＤｄ，Ｄｄ・・がデータ保護方式で多層光記録媒体１に記録される。以下、データ保護方式で記録されたこの多層光記録媒体１を「オリジナルの多層光記録媒体１」ともいう。
【００３８】
次に、記録再生装置１１によってデータ保護方式で記録された多層光記録媒体１内の記録データＤｄ，Ｄｄ・・を再生するデータ再生処理４０について、図面を参照して説明する。
【００３９】
前述した識別データ記録処理３０によって識別データＤｓおよび認証プログラムデータＤｐが記録された多層光記録媒体１を記録再生装置１１（または、そのほかの記録再生装置）に装填した際には、図８に示すデータ再生処理４０が実行される。このデータ再生処理４０では、多層光記録媒体１が挿入された際に、制御部１７が、最初に、リードインエリア５ａから管理データＤｔを読み出す（ステップ４１）。この場合、最初に読み出すべきデータの記録位置として認証プログラムデータＤｐの記録位置を指示する位置データが管理データＤｔに記録されている。このため、制御部１７は、その指示に従い、データ記録エリア５ｂの先頭から認証プログラムデータＤｐを読み出し（ステップ４２）パーソナルコンピュータＰＣに転送する。この場合、読出し完了直後に自動起動させるファイル形式で認証プログラムデータＤｐが構成されているため、パーソナルコンピュータＰＣは、記録再生装置１１を介して読み出した認証プログラムデータＤｐの記述内容を自動実行（認証プログラムの起動）する。
【００４０】
次に、パーソナルコンピュータＰＣは、認証プログラムの記述に従って、記録再生装置１１に装填されている多層光記録媒体１の基準点Ｐ３ｂ，Ｐ５ｂの位置を特定する。具体的には、まず、記録再生装置１１に対して位置信号Ｓｃの送信を要求する。これに応じて記録再生装置１１の制御部１７は、ピックアップ１３が基準点Ｐ３ｂにアクセスした際の回転量信号Ｓａおよび移動量信号Ｓｂに基づいて基準点Ｐ３ｂの位置を特定し、かつ、ピックアップ１３が基準点Ｐ５ｂにアクセスした際の回転量信号Ｓａおよび移動量信号Ｓｂに基づいて基準点Ｐ５ｂの位置を特定する。次に、制御部１７は、特定した基準点Ｐ３ｂ，Ｐ５ｂのそれぞれの位置を示す位置信号ＳｃをパーソナルコンピュータＰＣに送信する。これに応じて、パーソナルコンピュータＰＣは、送信された位置信号Ｓｃに基づいて基準点Ｐ３ｂ，Ｐ５ｂの位置を特定した後に（ステップ４３）、特定した基準点Ｐ３ｂ，Ｐ５ｂ間の距離Ｗを演算する（ステップ４４）。次いで、パーソナルコンピュータＰＣは、基準点Ｐ３ｂ，Ｐ５ｂの特定と同様にして、位置信号Ｓｃに基づいて基準点Ｐ５ａの位置を特定する（ステップ４５）。次に、パーソナルコンピュータＰＣは、基準点Ｐ３ｂ，Ｐ５ｂの両点を通過する線分Ｗ１と、基準点Ｐ５ｂ，Ｐ５ａの両点を通過する線分Ｗ２とが交差する角度θを演算する（ステップ４６）。次いで、パーソナルコンピュータＰＣは、演算した距離Ｗおよび角度θからなるベクトルＶを表す数値情報を識別データＤｓ１として生成する（ステップ４７）。
【００４１】
次に、パーソナルコンピュータＰＣは、記録再生装置１１に装填されている多層光記録媒体１のリードインエリア５ａから識別データＤｓを読み出す（ステップ４８）。次いで、ステップ４７で生成した識別データＤｓ１と、読み出した識別データＤｓとを比較することにより、同一のデータ内容であるか否かを判別する（ステップ４９）。この際に、記録データＤｄ，Ｄｄ・・や識別データＤｓをオリジナルの多層光記録媒体１からコピーしたコピー媒体が記録再生装置１１に装填されているときには、識別データＤｓ，Ｄｓ１の生成時に基準とする基準点Ｐ３ｂ，Ｐ５ｂ，Ｐ５ａが多層光記録媒体１，１・・毎にそれぞれ異なる位置に形成されるため、オリジナルの多層光記録媒体１における基準点Ｐ３ｂ，Ｐ５ｂ，Ｐ５ａに基づいて生成した識別データＤｓのデータ内容と、コピー媒体の多層光記録媒体１における基準点Ｐ３ｂ，Ｐ５ｂ，Ｐ５ａに基づいて生成した識別データＤｓ１のデータ内容とが、互いに相違する。したがって、識別データＤｓ，Ｄｓ１のデータ内容が異なるときには、パーソナルコンピュータＰＣは、記録再生装置１１に装填されている多層光記録媒体１がコピー媒体と判別する。この際に、パーソナルコンピュータＰＣは、「このディスクはコピー媒体です。オリジナルのディスクを挿入して下さい」とのエラーメッセージをモニタに表示させた後、データ再生処理４０をエラー終了する。この結果、コピー媒体の多層光記録媒体１に記録された記録データＤｄ，Ｄｄ・・の再生が禁止される。したがって、例えば、オリジナルの多層光記録媒体１に記録された記録データＤｄ，Ｄｄ・・の不正な再生を防止することができる。
【００４２】
一方、識別データＤｓ，Ｄｓ１の生成時に基準とする基準点Ｐ３ｂ，Ｐ５ｂ，Ｐ５ａが固定的で、これらに基づいて演算される距離Ｗおよび角度θが多層光記録媒体１の固有値のため、オリジナルの多層光記録媒体１における基準点Ｐ３ｂ，Ｐ５ｂ，Ｐ５ａに基づいて生成した識別データＤｓのデータ内容は、如何なる再生装置によって如何様に生成したとしても常に同一のデータ内容となる。したがって、オリジナルの多層光記録媒体１が記録再生装置１１に装填されているときには、識別データＤｓ１のデータ内容と、識別データＤｓのデータ内容とが同一となる。この場合、パーソナルコンピュータＰＣは、記録再生装置１１に装填されている多層光記録媒体１がオリジナルの多層光記録媒体１と判別し、記録再生装置１１に装填されている多層光記録媒体１に対する記録データＤｄの読出しおよび消去や、記録データＤｄの追加書込みを許可する。この結果、多層光記録媒体１に記録されている記録データＤｄ，Ｄｄ・・を記録再生装置１１を介して読み出す（再生）ことが可能となる（ステップ５０）。
【００４３】
この場合、前述した識別データＤｓを記録したパーソナルコンピュータＰＣおよび記録再生装置１１に代えて、他の任意の再生装置（または記録再生装置）に多層光記録媒体１が装填されたときにも、その再生装置（または記録再生装置）によってデータ再生処理４０が実行される。この結果、例えば、不正にコピーされた多層光記録媒体１からの記録データＤｄ，Ｄｄ・・の読み出しが禁止され、結果として、オリジナルの多層光記録媒体１に記録された記録データＤｄ，Ｄｄ・・が保護される。
【００４４】
このように、この記録再生装置１１によれば、多層光記録媒体１に対してデータ保護方式によって記録データＤｄを記録する場合、その多層光記録媒体１固有の識別データＤｓと、認証プログラムデータＤｐとを記録し、かつ認証プログラムデータＤｐが最初に読み出されるように指示する管理データＤｔを記録することにより、この多層光記録媒体１を再生する際には、認証プログラムデータＤｐの記述内容に従って、その多層光記録媒体１に記録されている識別データＤｓと、その多層光記録媒体１における基準点Ｐ３ｂ，Ｐ５ｂ，Ｐ５ａに基づいて生成した識別データＤｓ１との同一性が判別されるため、不一致の多層光記録媒体１に対しては、記録データＤｄの読出しを確実に禁止させることができる。したがって、例えば、オリジナルの多層光記録媒体１に記録した記録データＤｄを不正にコピーした多層光記録媒体１からの記録データＤｄの再生を有効に禁止させることができる。この場合、基準点Ｐ３ｂ，Ｐ５ｂ，Ｐ５ａの位置が多層光記録媒体１，１・・毎に相違するため、たとえ識別データＤｓがコピーされたとしても、その識別データＤｓのデータ内容と、コピー媒体における基準点Ｐ３ｂ，Ｐ５ｂ，Ｐ５ａの位置とが不一致となるため、その多層光記録媒体１がコピー媒体であることを確実に判別することができる。
【００４５】
また、この記録再生装置１１によれば、識別データＤｓをリードインエリア５ａに記録すると共に認証プログラムデータＤｐをデータ記録エリア５ｂに記録することにより、データ保護方式で記録した多層光記録媒体１を一般的なコピー方法で他の多層光記録媒体１に記録した場合、識別データＤｓがコピーされず、かつ認証プログラムデータＤｐがコピー媒体のデータ記録エリア５ｂにコピーされる。このため、このコピー媒体を再生する際には、認証プログラムデータＤｐの記述に従って識別データＤｓを読み出す際に、リードインエリア５ａに識別データＤｓが記録されていないため、その多層光記録媒体１がコピー媒体であることを確実に判別することができる。さらに、この記録再生装置１１によれば、識別データＤｓを管理データＤｔの一部としてリードインエリア５ａに記録したことにより、その多層光記録媒体１に識別データＤｓが記録されていること自体を判別するのが困難なため、識別データＤｓの不正な書き換えを防止することができる。
【００４６】
なお、本発明は、上記した発明の実施の形態に限らず、適宜変更が可能である。例えば、本発明の実施の形態では、記録データＤｄの記録時に、未使用の多層光記録媒体１に対して識別データＤｓおよび認証プログラムデータＤｐを記録する例を説明したが、本発明はこれに限定されず、例えば、多層光記録媒体１の製造時に、例えばプリピットによって各多層記録媒体１，１・・に認証プログラムデータＤｐを記録しておくこともできる。この方式によれば、記録データＤｄの記録時に認証プログラムデータＤｐの書き込みが不要となると共に、記録装置側に認証プログラムデータＤｐを記録させておく必要もなくなるため、記録処理の迅速化および記録装置の製造コスト低減を図ることができる。また、多層光記録媒体１の製造時に、各多層光記録媒体１，１・・毎に識別データＤｓ，Ｄｓ・・を生成して、認証プログラムデータＤｐと共に予め記録しておくこともできる。この方式によれば、記録データＤｄの記録時における識別データ記録処理３０を行うことなく、データ保護方式に従って記録データＤｄを直ちに記録することができる。したがって、ユーザに対して記録データを有効に保護し得る多層光記録媒体１を提供することができる。
【００４７】
また、本発明の実施の形態では、データ記録エリア５ｂの先頭位置（基準点Ｐ５ｂ）、データ記録エリア３ｂの最後尾位置（基準点Ｐ３ｂ）、およびリードインエリア５ａの先頭位置（基準点Ｐ５ａ）の各位置に基づいて識別データＤｓを生成した例を説明したが、本発明における第１、第２および第３の基準点は、データ記録エリアの先頭位置や最後尾位置、およびリードインエリアの先頭位置に限定されない。例えば、Ｌ１記録層３の中心Ｏ３、Ｌ０記録層５の中心Ｏ５、リードアウトエリア３ａの最後尾位置（基準点Ｐ３ａ）、データ記録エリア３ｂの最後尾位置、およびデータ記録エリア５ｂの先頭位置などの多層光記録媒体１における任意の基準点や、多層光記録媒体１の製造時に専用に規定した任意の基準点に基づいて識別データＤｓを生成することができる。さらに、本発明の実施の形態では、基準点Ｐ３ｂ，Ｐ５ｂ間の距離Ｗと線分Ｗ１，Ｗ２が交差する角度θとに基づいて識別データＤｓを生成する例を説明したが、本発明はこれに限定されず、距離Ｗを特定可能な距離情報のにみ基づいて識別データＤｓを生成してもよい。かかる場合にも、基準点Ｐ３ｂ，Ｐ５ｂ間の距離Ｗが多層光記録媒体１，１・・毎にそれぞれ相違するため、線分Ｗ１および角度θに基づいて生成した識別データＤｓと同様にしてコピーされた多層光記録媒体１からの記録データＤｄの再生を有効に禁止することができる。
【００４８】
また、本発明の実施の形態では、相変化膜を有するＬ１記録層３およびＬ０記録層５を備えた書換え型の多層光記録媒体１を例に挙げて説明したが、本発明は、これに限定されず、各種無機材料や有機色素系の記録層を備えた追記型の多層光記録媒体にも有効に適用することができる。さらに、多層光記録媒体の記録層の数（本発明におけるＮ層の記録層）は、本発明の実施の形態に示したＬ１記録層３およびＬ０記録層５からなる２層に限定されず、３層以上の記録層を備えた多層光記録媒体にも本発明を有効に適用することができる。また、識別データＤｓおよび認証プログラムデータＤｐの記録位置は、本発明の実施の形態に示したリードインエリア５ａおよびデータ記録エリア５ｂに限定されるものではなく、再生装置がアクセス可能な任意のエリアに記録することができる。さらに、本発明の実施の形態では、記録再生装置１１にＲＯＭ１８を配設すると共に、このＲＯＭ１８から認証プログラムデータＤｐを読み出して多層光記録媒体１に記録する例を説明したが、認証プログラムデータＤｐの保管場所は記録再生装置１１内に限定されず、例えばパーソナルコンピュータＰＣのハードディスクに予め記録しておき、データ保護方式による記録データＤｄの記録時（識別データ記録処理３０の実行時）には、パーソナルコンピュータＰＣから認証プログラムデータＤｐを送信させて多層光記録媒体１に記録してもよい。
【００４９】
また、本発明の実施の形態では、認証プログラムデータＤｐの記述内容に従っての認証処理をパーソナルコンピュータＰＣ上で実行する例を説明したが、本発明はこれに限定されず、例えば記録再生装置１１内で実行可能な認証プログラムを作成し、この認証プログラムについての認証プログラムデータを多層光記録媒体１に記録させることもできる。さらに、本発明の実施の形態では、パーソナルコンピュータＰＣに接続可能な外付けタイプの記録再生用ドライブ装置としての記録再生装置１１を例に挙げて説明したが、本発明はこれに限定されるものではなく、パーソナルコンピュータＰＣに内蔵可能な内蔵タイプのドライブ、映像や音楽の記録再生を装置単体で実行可能なＡＶ用記録再生装置、および音楽ＣＤ−Ｒの作製や再生を装置単体で実行可能なＣＤレコーダなどの各種の記録装置に適用することができる。
【００５０】
【発明の効果】
以上のように、本発明に係る識別情報の記録方法によれば、再生用レーザービームまたは記録用レーザービームの入射方向から数えてＭ番目の記録層における第１の基準点と、入射方向から数えてＬ番目の記録層における第２の基準点との両点間距離を取得し、取得した両点間距離を特定可能な距離情報を識別情報として記録することにより、多層光記録媒体毎に相違する距離情報が識別情報として記録されるため、識別情報がコピーされたとしても、コピーされた識別情報と、その多層光記録媒体に固有の距離情報とが不一致となる結果、例えば、不正にコピーされた媒体であることを確実に判別することができる。また、この識別情報の記録方法によれば、ユーザが購入した未使用の多層光記録媒体に対して、その多層光記録媒体を個別的に識別するための識別情報を記録することができるため、多層光記録媒体の製造時に識別情報を予め記録させる工程を省くことができる結果、多層光記録媒体の製造コストを低減することができる。
【００５１】
また、本発明に係る識別情報の記録方法によれば、第１の線分と第２の線分とが交差する角度を特定可能な角度情報を識別情報の一部として記録することにより、距離情報のみに基づいて多層光記録媒体の同一性を識別する方法と比較して、コピーされた媒体であるか否かを一層確実に判別することができる。
【００５２】
さらに、本発明に係る識別情報の記録方法によれば、データ記録エリア、リードインエリアおよびリードアウトエリアのいずれかに識別情報を記録することにより、例えばリードインエリアよりも内周側の媒体管理領域にプレピットによって識別情報を記録する記録方法とは異なり、多層光記録媒体を購入したユーザが識別情報を記録することができる。また、リードインエリアまたはリードアウトエリアに識別情報を記録する場合には、識別情報の解析が困難になる結果、識別情報の不正な書き換えを確実に防止することができる。
【００５３】
また、本発明に係る識別情報の記録方法によれば、記録データの一部、または記録データについての管理情報の一部として識別情報を記録することにより、識別情報の解析が一層困難となる結果、識別情報の不正な書き換えをさらに確実に防止することができる。
【００５４】
さらに、本発明に係る識別情報の記録方法によれば、再生装置によって読み出されて、取得させた第１および第２の基準点の両点間距離と、識別情報に含まれる距離情報によって特定される両点間距離との同一性を判別させ、不一致のときに多層光記録媒体からの記録データの読出しを再生装置に対して禁止させるためのプログラムデータを記録することにより、再生対象の多層光記録媒体がコピーされたものである場合に、その記録データの読出しを確実に禁止させることができる。
【００５５】
また、本発明に係る識別情報の記録方法によれば、再生装置が最初にアクセスする領域、または最初にアクセスする領域に記録された領域情報によって指示される領域のいずれかにプログラムデータを記録することにより、多層光記録媒体を再生装置に装填するだけで判別プログラムが読み出されるため、再生対象の多層光記録媒体がコピーされたものであるか否かを確実に判別させることができる。
【００５６】
さらに、本発明に係る多層光記録媒体によれば、多層光記録媒体を個別的に識別するための識別情報として、再生用レーザービームまたは記録用レーザービームの入射方向から数えてＭ番目の記録層における第１の基準点と、入射方向から数えてＬ番目の記録層における第２の基準点との両点間距離を特定可能な距離情報を多層光記録媒体に記録したことにより、オリジナルの多層光記録媒体であることを確実に判別させることができる。したがって、記録データを有効かつ容易に保護し得る多層光記録媒体を提供することができる。また、識別情報が他の多層光記録媒体にコピーされたとしても、コピーされた識別情報と、その多層光記録媒体における距離情報とが一致しないため、コピーされた媒体であることを確実に判別させることができる。また、多層光記録媒体の製造時に識別情報を予め記録しておくことで、ユーザによる識別情報の記録処理が不要となるため、ユーザがデータ保護方式に従って記録データを迅速に記録することができる。
【００５７】
また、本発明に係る多層光記録媒体によれば、第１の線分と第２の線分とが交差する角度を特定可能な角度情報を識別情報の一部として記録したことにより、距離情報のみからなる識別情報が記録された多層光記録媒体と比較して、コピーされた媒体であるか否かを一層確実に判別させることができる多層光記録媒体を提供することができる。
【００５８】
さらに、本発明に係る多層光記録媒体によれば、データ記録エリア、リードインエリアおよびリードアウトエリアのいずれかに識別情報が記録されているため、例えばユーザが識別情報を書き込んだ汎用の多層光記録媒体との互換性を担保することができる。
【００５９】
また、本発明に係る多層光記録媒体によれば、再生装置によって読み出されて、取得させた第１および第２の基準点の両点間距離と、識別情報に含まれる距離情報によって特定される両点間距離との同一性を判別させ、不一致のときに多層光記録媒体からの記録データの読出しを再生装置に対して禁止させるためのプログラムデータが記録されているため、このプログラムによって再生対象の多層光記録媒体がコピーされたものであると判別させた場合に、その記録データの読出しを確実に禁止させることができる。
【００６０】
さらに、本発明に係る多層光記録媒体によれば、再生装置によって最初にアクセスされる領域、および最初にアクセスされる領域に記録された領域情報によって指示される領域のいずれかにプログラムデータが記録されたことにより、この多層光記録媒体を再生装置に装填するだけでプログラムが読み出されて、再生対象の多層光記録媒体がコピーされたものであるか否かを確実に判別させることができる。
【００６１】
また、本発明に係る記録装置によれば、制御部が、再生用レーザービームまたは記録用レーザービームの入射方向から数えてＭ番目の記録層における第１の基準点と、入射方向から数えてＬ番目の記録層における第２の基準点との両点間距離を取得し、取得した両点間距離を特定可能な距離情報を識別情報として記録することにより、多層光記録媒体毎に相違する距離情報が識別情報として記録されるため、識別情報がコピーされたとしても、コピーされた識別情報と、その多層光記録媒体に固有の距離情報とが不一致となる結果、例えば、不正にコピーされた媒体であることを確実に判別することができる。また、この記録装置によれば、ユーザが購入した未使用の多層光記録媒体に対して、その多層光記録媒体を個別的に識別するための識別情報を記録することができるため、多層光記録媒体の製造時に識別情報を予め記録させる工程を省くことができる結果、多層光記録媒体の製造コストを低減することができる。
【図面の簡単な説明】
【図１】
本発明の実施の形態における多層光記録媒体１の構成を示す断面図である。
【図２】
多層光記録媒体１におけるＬ１記録層３およびＬ０記録層５の位置関係を説明するための概念図である。
【図３】
本発明の実施の形態における記録再生装置１１の構成およびパーソナルコンピュータＰＣを示すブロック図である。
【図４】
記録再生装置１１によって実行されるデータ記録処理２０のフローチャートである。
【図５】
記録再生装置１１によって実行される識別データ記録処理３０のフローチャートである。
【図６】
識別データＤｓの生成時における基準点Ｐ３ｂ，Ｐ５ｂ，Ｐ５ａの位置関係、距離Ｗおよび角度θを説明するための説明図である。
【図７】
距離Ｗおよび角度θに基づいて特定されるベクトルＶを説明するための説明図である。
【図８】
記録再生装置１１およびパーソナルコンピュータＰＣによって実行されるデータ再生処理４０のフローチャートである。
【符号の説明】
１  多層光記録媒体
２  基材
３  Ｌ１記録層
３ａ  リードアウトエリア
３ｂ，５ｂ  データ記録エリア
４  スペーサ層
５  Ｌ０記録層
５ａ  リードインエリア
６  カバー層
１１  記録再生装置
１２  ターンテーブル
１３  ピックアップ
１４  スピンドルサーボ
１５  送りサーボ
１６  フォーカストラッキングサーボ
１７  制御部
１８  ＲＯＭ
２０  データ記録処理
３０  識別データ記録処理
４０  データ再生処理
Ｄｄ  記録データ
Ｄｐ  認証プログラムデータ
Ｄｓ，識別データ
Ｄｔ  管理データ
Ｗ  距離
Ｗ１，Ｗ２  線分
Ｏ，Ｏ３，Ｏ５  中心
Ｐ３ａ，Ｐ３ｂ，Ｐ５ａ，Ｐ５ｂ  基準点
ＰＣ  パーソナルコンピュータ
Ｓａ  回転量信号
Ｓｂ  移動量信号
Ｓｃ  位置信号
Ｖ  ベクトル
θ  角度